(57)【要約】【課題】  揮散量を調整できると共に容器の使用状態を容易に切り換えることができ、しかも揮散状態にあるか否かを容易に見分けることのできる揮散容器を創出することを課題とする。【解決手段】  揮散性を有する内容液を収容した容器本体１と、容器本体１から内容液を吸い上げる吸上げ芯５と、吸い上げた内容液を空気中に揮散する揮散部材６と、を備えた揮散容器であって、容器本体１の口筒部２に装着されると共に揮散部材６を揮散可能な状態で収容する揮散部本体１１と、揮散部本体１１の外側に移動可能な状態で設けられた操作リング３０と、揮散部本体１１に開閉自在に支持されて開き状態と閉じ状態に設定可能な複数の装飾体２０と、を有し、操作リング３０を容器軸Ｏに沿って一方向に移動させることにより、装飾体２０が開き状態に設定され、且つ他方向に移動させることにより、装飾体２０が閉じ状態に設定される構成とする。【選択図】  図１
2019080787.tif 000002
【特許請求の範囲】
【請求項１】
揮散性を有する内容液を収容した容器本体（１）と、前記容器本体（１）から内容液を吸い上げる吸上げ芯（５）と、吸い上げた内容液を空気中に揮散する揮散部材（６）と、を備えた揮散容器であって、
容器本体（１）の口筒部（２）に装着されると共に前記揮散部材（６）を揮散可能な状態で収容する揮散部本体（１１）と、前記揮散部本体（１１）の外側に移動可能な状態で設けられた操作リング（３０）と、揮散部本体（１１）に開閉自在に支持されて開き状態と閉じ状態に設定可能な複数の装飾体（２０）と、を有し、前記操作リング（３０）を容器軸（Ｏ）に沿って一方向に移動させることにより、前記装飾体（２０）が前記開き状態に設定され、且つ他方向に移動させることにより、前記装飾体（２０）が前記閉じ状態に設定されることを特徴とする揮散容器。
【請求項２】
操作リング（３０）の移動に応じて露出する揮散部材（６）の表面積の割合が可変させられる請求項１記載の揮散容器。
【請求項３】
操作リング（３０）は、正方向に回転させられることで一方向に移動し、逆方向に回転させられることで他方向に移動する請求項１又は２記載の揮散容器。
【請求項４】
装飾体（２０）は、花弁部（２１）と、該花弁部（２１）の基端部（２２）に、操作リング（３０）に係合する被係止部（２４）と、揮散部本体（１１）に設けられた軸受部（１５）に軸支される回転軸部（２３）とを有し、且つ一部の装飾体（２０）には前記揮散部材（６）を持ち上げる支持腕部（２５）が設けられている請求項１乃至３のいずれか一項に記載の揮散容器。
【請求項５】
揮散部本体（１１）は、外周壁に操作リング（３０）が螺合する雄ネジ（１４ａ）が形成された大径筒部（１４）の上に小径筒部（１２）が段差部（１３）を介して連結された部材として形成され、前記段差部（１３）に左右一組からなる複数の軸受部（１５）が配置されている請求項１乃至４のいずれか一項に記載の揮散容器。
【請求項６】
小径筒部（１２）の周壁に支持腕部（２５）が挿入される開口部（１２ａ）が形成されている請求項５記載の揮散容器。
【請求項７】
小径筒部（１２）の上端に、揮散部材（６）が載置される皿部材（５０）の移動を制限する規制リング（６０）が設けられている請求項５又は６記載の揮散容器。
【請求項８】
左右一組からなる複数の軸受部（１５）は、半円状の切欠部を有して構成される一対の外軸受（１５ａ）と内軸受（１５ｂ）を径方向に対向配置すると共に、これらを周方向に隙間（１５ｃ）を介して配置することにより形成されている請求項５乃至７のいずれか一項に記載の揮散容器。
【発明の詳細な説明】
【技術分野】
【０００１】
本発明は芳香剤や消臭剤等を揮散するための揮散容器に関わり、特に揮散量を調整できると共に容器の状態が揮散状態にあるか否かを容易に見分けることのできる揮散容器に関する。
【背景技術】
【０００２】
揮散容器に関する先行技術として、例えば下記特許文献１には消臭・芳香剤容器が記載されている。同文献１の図５に示される第４実施例は、消臭・芳香剤１を収容する容器２の上部に開口部３を形成し、開口部３に上下移動可能に装飾体４を挿入すると共に、装飾体４の下端部に、液状の消臭・芳香剤１上に浮かせる浮力体６を付設されており、浮力体６が消臭・芳香剤１の減少に伴って装飾体４が容器２内部に引き込まれて花の形が徐々に萎み変形するため、この萎み行く花の形から消臭・芳香剤１の残量を容易に確認できるというものである。
【先行技術文献】
【特許文献】
【０００３】
【特許文献１】特開２００５−６６７１号公報
【発明の概要】
【発明が解決しようとする課題】
【０００４】
しかし、特許文献１に記載の消臭・芳香剤容器では、萎み行く花の形から消臭・芳香剤１の残量を確認できるものの、揮散量を調整することが難しいという問題がある。
また、消臭・芳香剤１の残量の違いによって花の形が異なるとしても、消臭・芳香剤容器として常に揮散状態にあることには変わりがないことから、揮散状態と非揮散状態との間で任意に切り替えて使用することができないという問題もある。
本発明は、上記した従来技術における問題点を解消すべく、揮散量を調整できると共に容器の使用状態を容易に切り換えることができ、しかも揮散状態にあるか否かを容易に見分けることのできる揮散容器を創出することを課題とする。
【課題を解決するための手段】
【０００５】
上記課題を解決するための手段のうち、本発明の主たる手段は、
揮散性を有する内容液を収容した容器本体と、容器本体から内容液を吸い上げる吸上げ芯と、吸い上げた内容液を空気中に揮散する揮散部材と、を備えた揮散容器であって、
容器本体の口筒部に装着されると共に揮散部材を揮散可能な状態で収容する揮散部本体と、揮散部本体の外側に移動可能な状態で設けられた操作リングと、揮散部本体に開閉自在に支持されて開き状態と閉じ状態に設定可能な複数の装飾体と、を有し、
操作リングを容器軸に沿って一方向に移動させることにより、装飾体が開き状態に設定され、且つ他方向に移動させることにより、装飾体が閉じ状態に設定されることを特徴とする、と云うものである。
本発明の主たる手段では、操作リングを容器軸に沿って移動させるという簡単な操作により、揮散量を調整できると共に揮散容器の使用状態を容易に切り替えることができる。さらには装飾体の状態を観察することにより、揮散容器が揮散状態にあるか、非揮散状態にあるかを容易に見分けることができる。
【０００６】
また本発明の他の手段は、上記本発明の主たる手段に、操作リングの移動に応じて露出する揮散部材の表面積の割合が可変させられる、との手段を加えたものである。
上記手段では、揮散部材の表面積の割合を変えることで揮散量の調整を達成し得る。
【０００７】
また本発明の他の手段は、上記いずれかの手段に、操作リングは、正方向に回転させられることで一方向に移動し、逆方向に回転させられることで他方向に移動する、との手段を加えたものである。
上記手段では、操作リングを回転させるという簡単な操作を行うことにより、操作リングが容器軸に沿って移動し、揮散部材の揮散量の調整を行うことが可能となる。
【０００８】
また本発明の他の手段は、上記いずれかの手段に、装飾体は、花弁部と、花弁部の基端部に、操作リングに係合する被係止部と、揮散部本体に設けられた軸受部に軸支される回転軸部とを有し、且つ一部の装飾体には揮散部材を持ち上げる支持腕部が設けられている、との手段を加えたものである。
上記手段では、操作リングの移動に連動して装飾体が開閉するため、閉じ状態（非揮散状態）又は開き状態（揮散状態）に容易に設定することができる。これに加えて、支持腕部を有する装飾体では、揮散部材を持ち上げて上下に移動させることにより、揮散部材の揮散量を調整することが可能となる。
【０００９】
また本発明の他の手段は、上記手段に、揮散部本体は、外周壁に操作リングが螺合する雄ネジが形成された大径筒部の上に小径筒部が段差部を介して連結された部材として形成され、段差部に左右一組からなる複数の軸受部が配置されている、との手段を加えたものである。
上記手段では、一つの操作リングの回転に連動して、複数の装飾体を同時に閉じ状態又は開き状態に切り替えることができる。
【００１０】
また本発明の他の手段は、上記いずれかの手段に、小径筒部の周壁に支持腕部が挿入される開口部が形成されている、との手段を加えたものである。
上記手段では、小径筒部内に収容されている揮散部材を、操作リングの回転に連動して動作する装飾体の動きに合わせて昇降移動させることができる、
【００１１】
また本発明の他の手段は、上記いずれかの手段に、小径筒部の上端に、揮散部材が載置される皿部材の移動を制限する規制リングが設けられている、との手段を加えたものである。
上記手段では、操作リングの回転に連動して上昇移動した皿部材が、小径筒部から抜け出すことを防止することで、皿部材に載置されている揮散部材の落下を防止することができる。
【００１２】
また本発明の他の手段は、上記手段に、左右一組からなる複数の軸受部は、半円状の切欠部を有して構成される一対の外軸受と内軸受を径方向に対向配置すると共に、これらを周方向に隙間を介して配置することにより形成されている、との手段を加えたものである。
上記手段では、段差部上に配置された装飾体の確実な開閉動作を確保することができる。
【発明の効果】
【００１３】
本発明は、上記した構成となっているので、以下に示す効果を奏する。
本発明では、操作リングを回転させて、揮散部材が露出する表面積の割合と装飾体の状態を可変することにより、揮散量の調整することができると共に使用状態を容易に切り替えることができる。
また装飾体の状態が、開き状態であるか又は閉じ状態であるかを確認することにより、揮散容器の使用状態が揮散状態にあるか又は揮散量の少ない非揮散状態にあるかを容易に見分けることができる。
さらには揮散量や揮散容器の使用状態が装飾体の動きで表現され、楽しみながら使用することができるため、揮散容器としての存在感や商品価値を高めることができる。
【図面の簡単な説明】
【００１４】
【図１】本発明の実施例を示す揮散容器の分解斜視図である。
【図２】閉じ状態（非揮散状態）を示す揮散容器の部分断面図である。
【図３】開き状態（揮散状態）を示す揮散容器の部分断面図である。
【図４】軸受に軸支された装飾体を示す部分平面図である。
【図５】閉じ状態（非揮散状態）を示す揮散容器の斜視図である。
【図６】開き状態（揮散状態）を示す揮散容器の斜視図である。
【発明を実施するための形態】
【００１５】
以下、本発明の実施の形態について図面を参照しつつ説明する。
図１は本発明の実施例を示す揮散容器の分解斜視図、図２は閉じ状態（非揮散状態）を示す揮散容器の部分断面図、図３は開き状態（揮散状態）を示す揮散容器の部分断面図、図４は軸受に軸支された装飾体を示す部分平面図である。尚、図２及び図３では吸上げ芯を省略している。
【００１６】
先ずは揮散容器の構成について説明する
尚、以下の説明において、「正方向の回転」とは右回転と左回転のいずれか一方を意味し、「逆方向の回転」とは「正方向の回転」が右回転を意味するときには左回転を意味し、「正方向の回転」が左回転を意味するときには右回転を意味する。また「一方向」とは容器軸Ｏに沿う上方と下方のいずれか一方を意味し、「他方向」とは「一方向」が上方を意味するときには下方を意味し、「一方向」が下方を意味するときには上方を意味する。
図１に示す揮散容器は、揮散性を有する内容液、例えば消臭剤や芳香剤として使用される内容液を収容する容器本体１と、容器本体１の口筒部２に装着されるヘッド部１０と、内容液を容器本体１内から毛細管現象を利用して吸い上げる吸上げ芯５と、吸い上げた内容液を含浸すると共に空気中に自然揮散させる揮散部材６とを有して構成されている。
吸上げ芯５は、例えばポリエステル繊維等の吸水性素材を結束又は編組した細長状の芯材により構成されている。また揮散部材６は、例えば濾紙などで形成された円柱状の部材であり、その中心には吸上げ芯５の上端部が圧入される挿入孔６ａが形成されている。
【００１７】
容器本体１は胴部３の上に口筒部２が立設された有底筒状の容器であり、口筒部２の下端にフランジ状のネックリング４が形成されており、このネックリング４の周方向の複数（本実施例では３ケ）の位置には、所定の間隔（本実施例では１２０度毎）を有して配置された係止凹部４ａが形成されている。
【００１８】
ヘッド部１０は、容器本体１側の口筒部２に装着される揮散部本体１１と、複数（本実施例では６枚）の装飾体２０と、揮散部本体１１の外側に回転可能に配置された操作リング３０と、操作リング３０の下端に設けられた受けリング４０と、揮散部材６を載置する皿部材５０と、皿部材５０の上昇を規制する規制リング６０等を有して構成され、これらの各部材は合成樹脂材料で形成されている。
【００１９】
図１乃至図３に示すように、揮散部本体１１は、下部側に設けられた円筒状の大径筒部１４と、上部側に設けられた円筒状の小径筒部１２が、これらの中間高さ位置に設けられた段差部１３を介して一体に連結された部材である。小径筒部１２には縦帯状に開口する開口部１２ａが周方向に所定の間隔（本実施例では１２０度毎）で形成されている。また図２に示すように大径筒部１４の外周壁には雄ネジ１４ａとその下端の位置に周設された周凹部１４ｂが形成されている。図２に破線で示すように、大径筒部１４の内周壁の複数（本実施例では３ケ）の位置には、縦帯凸状に突設された係止凸部１４ｃが形成されている。そして、揮散部本体１１を容器本体１の口筒部２に装着すると、各係止凸部１４ｃが容器本体１のネックリング４に形成された係止凹部４ａに夫々係合可能となっている。
【００２０】
図１に示すように、段差部１３上には、周方向に複数（本実施例では６組）並べて配置することにより形成された複数の軸受部１５が形成されている。図４に示すように、軸受部１５は、半円状の切欠部を有して突設された一対の外軸受１５ａと内軸受１５ｂを、径方向に対向配置させて軸受部１５としたものである。そして、周方向に配置された一方の軸受部１５と他方の軸受部１５との間には、後述する装飾体２０の基端部２２を配置するための隙間１５ｃが設けられており、この隙間１５ｃを介して周方向に対応配置された左右一組から成る軸受部１５が周方向に一定の間隔を有して段差部１３上に合計６組設けられている。
【００２１】
装飾体２０は、花びら状に形成された花弁部２１と、花弁部２１の下端に連設された基端部２２と、この基端部２２から左右に突出する円柱状の回転軸部２３及び基端部２２から外方向に突出する被係止片２４（図２、図３参照）とを有して構成されている。また６枚の装飾体２０のうち、周方向に１つ置きに並ぶ３枚の装飾体２０の基端部２２には被係合片２４とは逆方向である内方（小径筒部１２の内部方向）に向かって延びる支持腕部２５が設けられている。被係止片２４は後述する操作リング３０に係合可能に構成され、支持腕部２５は小径筒部１２の壁面に形成された開口部１２ａを介して小径筒部１２内に挿入され、揮散部材６を下から持ち上げることが可能となっている。
装飾体２０は、回転軸部２３を揮散部本体１１の段差部１３上に形成された左右一組の軸受部１５を構成する左側一対の外軸受１５ａと内軸受１５ｂとの間及び右側一対の外軸受１５ａと内軸受１５ｂとの間に嵌合的に装着することにより回転自在に軸支されている。そして、このような構成からなる複数の装飾体２０が段差部１３上に周方向に沿って並設されることにより、図２及び図３（又は図５及び図６）に示されるように、装飾体２０の全体が開閉自在に構成されている。
【００２２】
図２又は図３に示すように、操作リング３０は上端が拡径状に形成された略円筒状の部材であり、その内周面の上端には凹状に形成されて装飾体２０側の被係合片２４に係合可能な係合部３１が形成され、その下には揮散部本体１１側の大径筒部１４に形成された雄ネジ１４ａに螺合可能な雌ネジ３２が形成されている。
そして、揮散部本体１１側の大径筒部１４の外側に螺設させた操作リング３０を正方向に回転させることにより、操作リング３０を容器軸Ｏに沿って上方（一方向）にネジ送りすることができ、また操作リング３０を逆方向に回転させることにより、操作リング３０を容器軸Ｏに沿って下方（他方向）にネジ送りすることが可能となっている。
尚、揮散部本体１１側の大径筒部１４の内周壁に形成された係止凸部１４ｃと容器本体１側のネックリング４に形成された係止凹部４ａとが係合することにより、操作リング３０を回転させたときに揮散部本体１１が一緒に回転することが防止されており、操作リング３０の回転操作を円滑に行うことが可能となっている。
【００２３】
受けリング４０は上端側に設けられた小径状の内輪部４１と、下端側に設けられた大径状の外輪部４２とを有する短円筒状の部位材であり、受けリング４０の内壁には揮散部本体１１側の周凹部１４ｂに係合して受けリング４０の離脱を防止する周凸部４３が周設され、外輪部４２の内側底部には大径筒部１４の下端を載置する載置部４４が形成されている
【００２４】
図１乃至図３に示すように、皿部材５０は、円盤状の底壁５１の周縁部に側壁５２を備えた有底短円筒状の部材であり、底壁５１の中央には貫通孔５３が穿設されており、この貫通孔５３には吸上げ芯５が挿通される。皿部材５０は、底壁５１の上に揮散部材６を載置すると共に、底壁５１の下面が装飾体２０から延びる複数（本実施例では３ケ）の支持腕部２５の先端によって揮散部本体１１を構成する小径筒部１２内において水平に支持されている。皿部材５０上に載置された揮散部材６は、支持腕部２５の回転に連動してその内部を上下方向に沿って昇降移動可能とされており、また小径筒部１２の上端から揮散部材６を外部に露出させることが可能となっている。尚、揮散部材６は小径筒部１２内に揮散可能な状態で収容されている。
【００２５】
規制リング６０は揮散部本体１１の小径筒部１２の上端に固定されており、その内周側には、上昇した皿部材５０の側壁５２の上端に当接してこれ以上の上昇を制限するためのストッパ片６１が設けられている。
【００２６】
次に、上記構成からなる揮散容器の動作について説明する。
図５は閉じ状態（非揮散状態）を示す揮散容器の斜視図、図６は開き状態（揮散状態）を示す揮散容器の斜視図である。
図２に示すように、操作リング３０を正方向に回転させて操作リング３０を上方（一方向）に移動させると、この回転に連動して操作リング３０の上部に設けられた係合部３１が被係止片２４を押し上げる。これにより、各装飾体２０は回転軸部２３を中心に、互いに接近する方向に回転するため、各花弁部２１を閉じ状態に設定することができる。そして、図５の閉じ状態を見れば、揮散容器の使用状態が揮散量の少ない状態（便宜上、非揮散状態という）にあると容易に見分けることができる。
同時に、支持腕部２５は回転して下方に移動するため、支持腕部２５の先端に支持されていた皿部材５０が自重により下降する。これにより、揮散部材６が小径筒部１２内に収納され、露出する揮散部材６の表面積の割合が減少することから揮散量を抑制することができる。
尚、操作リング３０を上方に移動させると、上昇した皿部材５０の側壁５２の上端が規制リング６０のストッパ片６１に当接するため、これ以上の操作リング３０の正方向への回転及び上方への移動を制限することができる。
【００２７】
他方、図３に示すように、操作リング３０を逆方向に回転させて操作リング３０を下方（他方向）に移動させると、この回転に連動して操作リング３０の係合部３１が被係止片２４を押し下げる。これにより、各装飾体２０は回転軸部２３を中心に、互いに離間する方向に回転するため、各花弁部２１を開き状態に設定することができる。そして、図６の開き状態を見れば、揮散容器の使用状態が揮散を積極的に行うことが可能な揮散状態にあると容易に見分けることができる。
同時に、支持腕部２５が回転して上方に移動し、支持腕部２５の先端に支持されている皿部材５０を持ち上げて上昇移動させる。これにより、小径筒部１２の外部に露出する揮散部材６の表面積の割合が増大することから揮散量を増加させることができる。
尚、操作リング３０を最大量下方に移動させると、操作リング３０の下端が受けリング４０の外輪部４２に当接するため、これ以上の操作リング３０の逆方向への回転及び下方への移動を制限することができる。
【００２８】
ここで、本実施例における「閉じ状態」とは、複数の花弁部２１が完全に閉塞することで全く揮散しないというものではなく、図２に示すように複数の花弁部２１が垂直に起立して鉛直線（図示せず）に対する開き角度が最小となることで「開き状態」に比較して揮散量を最も抑制できる状態を意味する。また「開き状態」とは、図３に示すように、複数の花弁部２１が傾斜し、鉛直線（図示せず）に対する開き角度が最大となることで「閉じ状態」に比較して揮散量を最も増大させることができる状態を意味する。
【００２９】
正方向への操作リング３０の回転量を最大にすると、露出する揮散部材６の表面積が最小になると共に花弁部２１も閉じ状態となるので揮散量を最小とすることができ、また逆方向への操作リング３０の回転量を最大にすると、露出する揮散部材６の表面積が最大になると共に花弁部２１も開き状態となるので揮散量も最大とすることができる。
そして、操作リング３０の回転方向及び回転量をコントロールすると、これに応じて露出する揮散部材６の表面積の割合及び花弁部２１の開き角度を可変させることができるため、揮散量を任意に調整することが可能となる。
このように本発明では、操作リング３０を回転させる方向を変えると、装飾体２０の状態が開き状態又は閉じ状態に切り替わるため、揮散容器の使用状態を揮散状態又は非揮散状態に容易に切り替えることができる。
【００３０】
以上、実施例に沿って本発明の構成とその作用効果について説明したが、本発明の実施の形態は上記実施例に限定されるものではない。
例えば、上記実施例では、操作リング３０を回転させることで操作リング３０が上方（一方向）又は下方（他方向）に移動させられる構成を示して説明したが、操作リング３０をスライドさせることで直接上方（一方向）又は下方（他方向）に移動する構成としても良い。
【００３１】
また上記実施例では、操作リング３０を上方（一方向）に移動させると、装飾体２０の状態が開き状態に設定され、操作リング３０を下方（他方向）に移動させると、装飾体２０の状態が閉じ状態に設定される場合を示して説明したが、これとは逆に操作リング３０を下方（他方向）に移動させると、装飾体２０の状態が開き状態に設定され、操作リング３０を上方（一方向）に移動させると、装飾体２０の状態が閉じ状態に設定される構成であっても良い。
【００３２】
また上記実施例では、操作リング３０を上方（一方向）又は下方（他方向）への移動に応じて揮散部材６も移動し、小径筒部１２の上端から外部に露出する揮散部材６の表面積の割合が増減することで揮散量が調整される場合を示して説明したが、操作リング３０が移動しても揮散部材６は移動せず、したがって外部に露出する揮散部材６の表面積の割合も変化せず、装飾体２０の開閉のみで揮散量が調整される構成としても良い。
【００３３】
さらに上記実施例では、６枚の花弁部２１を有する構成を示して説明したが、花弁部２１の枚数は上記実施例に限定されるものではない。
また上記実施例では、操作リング３０が無段階で回転する場合を示して説明したが、所定の回転角度ごとにカチカチと軽く係止されることで段階的に回転し、操作体２０の開き角度を任意に設定可能な構成としても良い。
【産業上の利用可能性】
【００３４】
本発明は、消臭剤や芳香剤を収容して揮散する揮散容器の分野における用途展開をさらに広い領域で図ることができる。
【符号の説明】
【００３５】
１    ：  容器本体
２    ：  口筒部
３    ：  胴部
４    ：  ネックリング
４ａ  ：  係止凹部
５    ：  吸上げ芯
６    ：  揮散部材
６ａ  ：  挿入孔
１０  ：  ヘッド部
１１  ：  揮散部本体
１２  ：  小径筒部
１２ａ：  開口部
１３  ：  段差部
１４  ：  大径筒部
１４ａ：  雄ネジ
１４ｂ：  周凹部
１４ｃ：  係止凸部
１５  ：  軸受部
１５ａ：  外軸受
１５ｂ：  内軸受
１５ｃ：  隙間
２０  ：  装飾体
２１  ：  花弁部
２２  ：  基端部
２３  ：  回転軸部
２４  ：  被係止片
２５  ：  支持腕部
３０  ：  操作リング
３１  ：  係合部
３２  ：  雌ネジ
４０  ：  受けリング
４１  ：  内輪部
４２  ：  外輪部
４３  ：  周凸部
４４  ：  載置部
５０  ：  皿部材
５１  ：  底壁
５２  ：  側壁
５３  ：  貫通孔
６０  ：  規制リング
６１  ：  ストッパ片
Ｏ    ：  容器軸
【図１】
2019080787.tif 000003
【図２】
2019080787.tif 000004
【図３】
2019080787.tif 000005
【図４】
2019080787.tif 000006
【図５】
2019080787.tif 000007
【図６】
2019080787.tif 000008